(57)【要約】【課題】臭いに問題がなく抗菌・防黴性の作用が持続する空気調和機を提供する。【解決手段】空気調和機の室内機は、マイクロカプセル中にヨウ素を収容した揮発性抗菌・防黴剤をガムロジン中に混合し、固形化した抗菌・防黴エレメントを室内機本体内に配設する。【選択図】  図１
2004263917.tif 000002
【特許請求の範囲】
【請求項１】
マイクロカプセル中にヨウ素を収容した揮発性抗菌・防黴剤をガムロジン中に混合し、固形化した抗菌・防黴エレメントを室内機本体内に配設したことを特徴とする空気調和機の室内機。
【請求項２】
前記抗菌・防黴エレメントは、ガムロジンを溶解する溶媒とこの溶媒に対し重量比０．２以下の割合でヨウ素を溶解する溶媒を混合した液体に、さらに、エステル化ガムロジンを加えて粘張性液体を得る工程と、この粘張性液体に、マイクロカプセルにヨウ素を収容した揮発性抗菌・防黴剤を加えて攪拌混合し固化する工程から製造したことを特徴とする請求項１に記載の空気調和機の室内機。
【請求項３】
マイクロカプセル中にヨウ素を収容した揮発性抗菌・防黴剤をワックス中に混合し、固形化した抗菌・防黴エレメントを室内機本体内に配設したことを特徴とする空気調和機の室内機。
【請求項４】
前記抗菌・防黴エレメントは、固形化後微紛化され、袋状不織布に収納されたことを特徴とする請求項１ないし３のいずれか１項に記載の空気調和機の室内機。
【請求項５】
空気調和機の室内機内に熱交換器と接触させて、熱交換器より発生する結露水を吸収する吸水部材と、水に溶解する抗菌・防黴剤を組合わせて配設したことを特徴とする空気調和機の室内機。
【請求項６】
前記吸水部材は、袋状不織布であり、この袋状不織布内に粉末状抗菌・防黴剤または樹脂及びワックスのいずれかに抗菌・防黴剤を分散させた固形状抗菌・防黴エレメントを収納したことを特徴とする請求項５に記載の空気調和機の室内機。
【請求項７】
前記抗菌・防黴剤は、２−（４−チアゾリル）−ベンツイミダゾール、ベンズイミダゾールカルバミン酸メチル、３−ヨードプロバギルプチルカーバメイド、２、４、５、６−テトラクロロイソフタロニトリル、ジンクピス（２−ピリジンチオ−１−オキシド９）、銅ビス（２−ピリジンチオーオキシド）及び２、４、４’−トリクロロ−２’−ヒドロキシジフェニルドテルから選ばれた１種または複数の混合物からなり、その粒子が３００メッシュ以上１０メッシュ以下であり、前記袋状不織布は目付け４５ｇ／ｍ２〜７０ｇ／ｍ２であることを特徴とする請求項６に記載の空気調和機の室内機。
【発明の詳細な説明】
【０００１】
【発明の属する技術分野】
本発明は空気調和機の室内機に係わり、特に抗菌・防黴作用が持続する揮発性抗菌・防黴剤を配設した空気調和機の室内機に関する。
【０００２】
【従来の技術】
従来、空気調和機の室内機に内装された熱交換器周辺に配設された揮発性抗菌・防黴エレメントは、（１）わさびから抽出したもの、あるいは（２）ユウカリから抽出したもの、（３）特許文献１に記載されているようなヨウ素徐微放する機能性材料（ペレット状樹脂）を多孔質あるいは無孔質基材に把持させフィルタエレメントとしたもの等であった。
【０００３】
しかしながら、（１）、（２）には独特の臭いや刺激臭の問題があり、（３）には樹脂であるため１００ミクロン以下に微細化する必要がありかつ徐放のコントロールができないため長期間使用できない問題があった。
【０００４】
なお、特許文献２には、防黴エレメントをドレンパンに設けた空気調和機の室内機が提案されているが、この室内機は、熱交換器あるいは他の構成部品に対して防黴作用を発揮させることができない。
【０００５】
【特許文献１】
特開２０００−１３５２７９号公報（第３頁、段落番号［００１６］〜［００１７］、図１）
【０００６】
【特許文献２】
特開２０００−７４４０９号公報（第３頁、段落番号［００１０］、［００２０］、図１）
【０００７】
【発明が解決しようとする課題】
本発明は上述した事情を考慮してなされたもので、臭いに問題がなく抗菌・防黴性の作用が持続する空気調和機を提供することを目的とする。
【０００８】
【課題を解決するための手段】
上記目的を達成するため、本発明の１つの態様によれば、マイクロカプセル中にヨウ素を収容した揮発性抗菌・防黴剤をガムロジン中に混合し、固形化した抗菌・防黴エレメントを室内機本体内に配設したことを特徴とする空気調和機の室内機が提供される。これにより、臭いに問題がなく抗菌・防黴作用が持続する空気調和機が実現される。
【０００９】
好適な一例では、前記抗菌・防黴エレメントは、ガムロジンを溶解する溶媒とこの溶媒に対し重量比０．２以下の割合でヨウ素を溶解する溶媒を混合した液体に、さらに、エステル化ガムロジンを加えて粘張性液体を得る工程と、この粘張性液体に、マイクロカプセルにヨウ素を収容した揮発性抗菌・防黴剤を加えて攪拌混合し固化する工程から製造する。これにより、ヨウ素の気化量が減少し、抗菌・防黴作用が長時間持続する。
【００１０】
また、本発明の他の態様によれば、マイクロカプセル中にヨウ素を収容した揮発性抗菌・防黴剤をワックス中に混合し、固形化した抗菌・防黴エレメントを室内機本体内に配設したことを特徴とする空気調和機の室内機が提供される。これにより、臭いに問題がなくヨウ素の気化量が減少し、抗菌・防黴作用が持続する空気調和機が実現される。
【００１１】
好適な一例では、前記抗菌・防黴エレメントは、固形化後微紛化され、袋状不織布に収納される。これにより、微細化された抗菌・防黴エレメントの取扱い及び室内機内への配設が容易になり、さらに、微細エレメントにより、抗菌・防黴作用を高度に発現させ得る。
【００１２】
また、本発明の他の態様によれば、空気調和機の室内機内に熱交換器と接触させて、熱交換器より発生する結露水を吸収する吸水部材と、水に溶解する抗菌・防黴剤を組合わせて配設したことを特徴とする空気調和機の室内機が提供される。これにより、黴やバクテリアが発生し易い部品全てに抗菌・抗黴菌剤が行き渡るため効果的に部品に抗菌作用を及ぼすことができ、また、長時間抗菌・抗黴作用を持続させることができる空気調和機が実現される。
【００１３】
好適な一例では、前記吸水部材は、袋状不織布であり、この袋状不織布内に粉末状抗菌・防黴剤または樹脂及びワックスのいずれかに抗菌・防黴剤を分散させた固形状抗菌・防黴エレメントを収納する。これにより、袋状吸水部材に挿入し易く、また熱交換器などへの固定が容易になる。
【００１４】
また、他の好適な一例では、前記抗菌・防黴剤は、２−（４−チアゾリル）−ベンツイミダゾール、ベンズイミダゾールカルバミン酸メチル、３−ヨードプロバギルプチルカーバメイド、２、４、５、６−テトラクロロイソフタロニトリル、ジンクピス（２−ピリジンチオ−１−オキシド９）、銅ビス（２−ピリジンチオーオキシド）及び２、４、４’−トリクロロ−２’−ヒドロキシジフェニルドテルから選ばれた１種または複数の混合物からなり、その粒子が３００メッシュ以上１０メッシュ以下であり、前記袋状不織布は目付け４５ｇ／ｍ２〜７０ｇ／ｍ２である。これにより、上記抗菌・防黴剤を単独あるいは混合して使用することにより、真菌及び細菌類の育成を同時に抑制することができ、また、袋状不織布から抗菌・防黴剤の漏れがない。
【００１５】
【発明の実施の形態】
以下、本発明に係わる空気調和機の室内機の第１実施形態について添付図面を参照して説明する。
【００１６】
図１は本第１実施形態の空気調和機の室内機の縦断面図である。
【００１７】
図１に示すように、本第１実施形態の空気調和機の室内機１は、室内機本体２を有し、この室内機本体２の表面には側面視の断面が一部弧状に屈曲形成された前面パネル３が設けられている。この前面パネル３には第１前面吸込口４ａと第２前面吸込口４ｂが設けられ、また、室内機本体２の上面には上部吸込口４ｃが設けられ、さらに、下部には吹出口５が設けられている。上記各吸込口４ａ、４ｂ、４ｃと吹出口５間には、室内機本体２内に吸込まれた空気が熱交換される熱交換器６とファン７が設けられている。
【００１８】
また、上記前面パネル３の裏面（内面）側には、エアフィルタ８が設けられている。さらに、室内機本体２の上部で、熱交換器６とエアフィルタ８間には、抗菌・防黴エレメント９が適宜の手段で取付けられて配設されている。なお、抗菌・防黴エレメントの配設位置は、室内機本体２の上部に限らず、室内機本体内のいずれの場所でもよい。
【００１９】
図２に示すように、抗菌・防黴エレメント９は、揮発性抗菌・防黴剤９ａとガムロジン９ｂからなる固形化物である。上記揮発性抗菌・防黴剤は、マイクロカプセルにヨウ素を包含したものである。
【００２０】
上記抗菌・防黴エレメント９は、下記のような工程により製造される。
【００２１】
例えば、抗菌・防黴部エレメント９は、ガムロジンを溶解する溶媒とこの溶媒に対し重量比で０．２以下のヨウ素を溶解する溶媒を混合した液体にエステル化ガムロジンを加えて粘張性液体を得る工程と、この粘張性液体にマイクロカプセルにヨウ素を収容した揮発性抗菌・防黴剤を加え攪拌混合し固化する工程から製造する。
【００２２】
上記ガムロジンを溶解する溶媒としては、例えば水素添加テルペン２量体混合物等が好ましく、また、ヨウ素を溶解する溶媒としては、ジメチルスルフオキサイド等が好ましく、ガムロジンを溶解する溶媒に対するヨウ素を溶解する溶媒の混合重量比を変えることで、ヨウ素の気化量を制御することができ、また、この重量比は、０．２以下が好ましい。０．２を超えるとヨウ素の気化量が大きくなり、抗菌・防黴エレメントとしての作用の持続性が低下する。なお、上記テルペン２量体の代替として、ガムロジンを溶解する例えば落花生油、菜種油等の植物性油や流動パラフィン類を用いることができ、また、ジメチルスルフオキサイドの代替として、ジメチルホルムアミド等のヨウ素を溶解する高沸点溶媒を用いることができる。なお、上記固化は、ガムロジン中に混合して行うのに替えて、抗菌・防黴剤をワックスあるいは樹脂中に混合しても、ガムロジンの混合すると同様の抗菌・防黴エレメントを製造することができる。
【００２３】
なお、図１中符号１０はドレンパンであり、１１はファンケーシングである。
【００２４】
本発明に係わる空気調和機の室内機は、上記構造になっているから、図１に示すように、ファン７の働きで各吸込口４ａ、４ｂ、４ｃから吸込まれた室内空気は、エアフィルタ８を通過して塵埃が除去され、抗菌・防黴エレメント９と接し、熱交換器６に達し、熱交換、例えば、冷却されて吹出口６から吹出される。この冷却過程において、抗菌・防黴エレメント９に接した空気は、抗菌・防黴エレメント９から揮発する揮発性抗菌・防黴剤の成分を含み、室内機１中の熱交換器６やフアン７、エアフィルタ８、ドレンパン１０、ファンケーシング１１に揮発性抗菌・防黴剤の成分を行き渡らせる。また、送風機７の停止時にも、抗菌・防黴エレメント９から揮発性抗菌・防黴剤の成分が揮発して、室内機本体２内に充満し、運転時と同様に室内機の各部品に行き渡らせる。このように通常黴やバクテリアが発生し易い各部品すべてに抗菌剤が行き渡らせるため、これらに効果的に抗菌作用を及ぼすことができる。また、ガムロジンあるいはワックス中に揮発性抗菌・抗黴剤を混合することにより、徐放性能（薬剤をゆっくり揮発させる性能）を大幅に向上させることができ、長時間抗菌・抗黴作用を持続させることができる。ガムロジンあるいはワックス中に揮発性抗菌・抗黴剤を混合するので、独特の臭いや刺激臭がなく、臭いに問題がない。
【００２５】
また、上記第１実施形態において、上記製造された抗菌・防黴エレメントの固形化物を図２に示すように、そのまま使用することもできるが、図３に示すように、粉砕した抗菌・防黴部エレメント９Ａを不織布１２Ａに収納して抗菌・防黴部ユニット１３Ａとして用いてもよい。これにより、微細化された抗菌・防黴エレメントの取扱い及び室内機内への配設が容易になり、微細エレメントにより、抗菌・防黴作用を高度に発現させることができる。
【００２６】
次に本発明に係わる空気調和機の室内機の第２実施形態について説明する。
【００２７】
本第２実施形態は、上記第１実施形態の抗菌・防黴エレメントが、例えば室内機本体上部で熱交換器とエアフィルタ間に配設されるのに対して、熱交換器上部に熱交換器より発生する結露水を吸収する吸水部材と水溶性抗菌・防黴剤とからなる抗菌・防黴ユニットを配設させたものである。
【００２８】
例えば、図４に示すように、本第２実施形態の空気調和機の室内機１Ｂの熱交換器６Ｂの上部には、抗菌・防黴ユニット１３Ｂが載置状態で取付けられている。なお、抗菌・防黴ユニットの取付けは、熱交換器の上部に限らず、上部近傍でもよく、さらに、熱交換器の結露部分であればいずれの位置に取付けられてもよい。図５に示すように、抗菌・防黴ユニット１３Ｂは、水溶性抗菌・防黴剤９Ｂａと、この水溶性抗菌・防黴剤９Ｂａを収納する扁平袋状吸水部材１４Ｂとからなっている。また、抗菌・防黴剤９Ｂａは、２−（４−チアゾリル）−ベンツイミダゾール、ベンズイミダゾールカルバミン酸メチル、３−ヨードプロバギルプチルカーバメイド、２、４、５、６−テトラクロロイソフタロニトリル、ジンクピス（２−ピリジンチオ−１−オキシド９）、銅ビス（２−ピリジンチオーオキシド）及び２、４、４’−トリクロロ−２’−ヒドロキシジフェニルドテルから選ばれた１種または複数の混合物からなり、その粒子は３００メッシュ以上１０メッシュ以下であるのが好ましい。また、扁平袋状吸水部材１４Ｂは、その目付けが４５ｇ／ｍ２〜７０ｇ／ｍ２で耐水性である熱接着性布織布を用いるのが好ましい。上記抗菌・防黴剤を単独あるいは混合しれ使用することにより、真菌及び細菌類の育成を同時に抑制することができる。また、その目付けが４５ｇ／ｍ２〜７０ｇ／ｍ２であるので、抗菌・防黴剤の漏れがない。なお、他の構成は図１に示す空気調和機の室内機と異ならないので、同一符号を付して説明は省略する。
【００２９】
従って、吸水部材１４Ｂが熱交換器６Ｂより生じる結露水を吸水し、抗菌・防黴剤９Ｂａを少量づつ溶解させる。溶解した抗菌剤は結露水中に分散してゆき、熱交換器６Ｂ全体に行き渡る。最後にはドレンパン１０Ｂに溜まりドレンホースを通って外部に排出される。このように通常黴やバクテリアが発生し易い部品全てに抗菌・抗黴菌剤が行き渡るため効果的に部品に抗菌作用を及ぼすことができ、また、長時間抗菌・抗黴作用を持続させることができる。
【００３０】
また、図６に示すように、抗菌・防黴エレメント９Ｃを樹脂またはワックス９Ｃｂで抗菌・防黴剤９Ｃａが固定して形成し、これを図７に示すように、扁平袋状吸水部材１４Ｃに挿入して、抗菌・防黴ユニット１３Ｃを形成してもよい。これにより、抗菌・防黴エレメント９Ｃは扁平袋状吸水部材１４Ｃに挿入し易く、また熱交換器などへの固定が容易になる。
【００３１】
【実施例】
試験１：  水素添加テルペン２量体混合物６ｇにジメチルスルフオキサイド１．２ｇを加えて混合した液を約８０℃付近に温め、粉砕したエステル化ガムロジン２１．６ｇを加え８０〜９０℃に加熱し、粘張性の液体を得た。この粘張性液体にサイクロデキストリンにヨウ素を重量比０．２の割合で収容化したもの２８．８ｇを加え、速やかに攪拌混合後、板状の固形化物を得た。
【００３２】
試験２：  試験１により得られて固形化物（実施例）を用いて、経時重量減量試験を行った。結果を図８に示す。なお、比較例はガムロジンを溶解する溶媒とヨウ素を溶解する溶媒とを重量比０．６の割合とし、その他は実施例と同様とした。
【００３３】
図８からわかるように、実施例は経時的重量の減少は小さく、２０日経過で０．３％、３５日経過で０．５％、５０日を経過しても０．４％の減少であり、特に５０日経過では比較例に比べて減少量が１／２以下であり、長時間経過しても減少量が極めて少ないことがわかった。
【００３４】
これに対して、比較例は経時的重量の減少量は、経過時間に比例して増加し、また、その減少量も大きく、２０日経過で０．９％、３５日経過で１．２５％、５０日を経過しても、１．７％の減少であり、長時間経過すると、減少量が著しく大きいことがわかった。
【図面の簡単な説明】
【図１】本発明に係わる空気調和機の室内機の一実施形態の縦断面図。
【図２】本発明に係わる空気調和機の室内機に用いられる抗菌・防黴エレメントの実施形態の概念図。
【図３】本発明に係わる空気調和機の室内機に用いられる抗菌・防黴エレメントの他の実施形態の概念図。
【図４】本発明に係わる空気調和機の室内機の他の実施形態の縦断面図。
【図５】本発明に係わる空気調和機の室内機の他の実施形態に用いられる抗菌・防黴ユニットの概念図。
【図６】本発明に係わる空気調和機の室内機の他の実施形態に用いられる抗菌・防黴エレメントの概念図。
【図７】本発明に係わる空気調和機の室内機の他の実施形態に用いられる抗菌・防黴ユニットの概念図。
【図８】本発明に係わる抗菌・防黴エレメントを用いた経時重量減量試験の結果図。
【符号の説明】
１  空気調和機の室内機
２  室内機本体
３  前面パネル
４ａ  第１前面吸込口
４ｂ  第２前面吸込口
４ｃ  上部吸込口
５  吹出口
６  熱交換器
７  ファン
８  エアフィルタ
９  抗菌・防黴エレメント
９ａ  発性抗菌・防黴剤
９ｂ  ガムロジン
１０  ドレンパン
１１  ファンケーシング
【図１】
2004263917.tif 000003
【図２】
2004263917.tif 000004
【図３】
2004263917.tif 000005
【図４】
2004263917.tif 000006
【図５】
2004263917.tif 000007
【図６】
2004263917.tif 000008
【図７】
2004263917.tif 000009
【図８】
2004263917.tif 000010